(57)【特許請求の範囲】
【請求項１】
一端が湾曲先端部によって閉じられ、他端に開口部が設けられ、可撓性素材で形成された筒状の本体によって構成され、
前記本体は、前記開口部から前記湾曲先端部との間に少なくとも１つ以上の屈曲部を有し、
前記屈曲部の突状内壁面には隆起部が設けられ、
前記湾曲先端部には、ブラシ部が設けられ、
前記本体の側周壁には前記開口部から前記湾曲先端部まで帯状に設けられた肉厚部が設けられ、
さらに、前記本体の周囲に環状肉厚部が設けられていることを特徴とする歯磨き用指サック。
【請求項２】
前記本体は、中心線に垂直な面で切ったときの断面が楕円であることを特徴とする請求項１に記載された歯磨き用指サック。
【請求項３】
前記本体は、中心線に垂直な面で切ったときの断面が四角形であることを特徴とする請求項１に記載された歯磨き用指サック。
【請求項４】
前記歯磨き用指サック上部の最大内径は、前記歯磨き用指サック下部の最大内径より小さいことを特徴とする請求項１に記載された歯磨き用指サック。
【請求項５】
前記本体は抗菌剤若しくは消臭剤の少なくともいずれかが含まれていることを特徴とする請求項１乃至４のいずれか１の請求項に記載された歯磨き用指サック。
【請求項６】
前記肉厚部は前記本体より硬い材料であることを特徴とする請求項１乃至５のいずれか１の請求項に記載された歯磨き用指サック。
【請求項７】
前記環状肉厚部は前記本体より硬い材料であることを特徴とする請求項１乃至６のいずれか１の請求項に記載された歯磨き用指サック。
【発明の詳細な説明】
【技術分野】
【０００１】
本発明は、指に装着して歯みがきが行える歯みがき用指サックに関する。
【背景技術】
【０００２】
従来より、指に装着して歯みがきを行うための用具が種々提案されている。図２１を参照して、特許文献１に開示されているペットの歯牙を磨くための「歯ブラシ」に付いて説明する。図２１に示されるように、歯ブラシ１００は、硬質合成樹脂で指サック形状に形成された筒状本体１０１の胴部１０１ａに、使用者の指の大きさの違いに対応できるように、３本の切り込みスリット１０２が形成されている。先端部１０１ｂの側面に形成された平坦部１０３に設けられた複数の植設孔１０４に束状の線状ブラシ１０５ａが植設されて、ブラシ部１０５が形成されている。
【０００３】
図２１（ｄ）に示されるように、ユーザは、筒状本体１０１に指１００ａを挿着した状態で、ブラシ部１０５をペット１００ｂの歯牙１００ｃに対して押しつけると共に前後動させて、歯ブラシ１００でペット１００ｂの歯みがきを行う。歯みがき動作中に筒状本体１０１が指１００ａから脱落しないために、筒状本体１０１の内周形状は、指１００ａの外形状より小さく且つ指１００ａが押し入れられる時に切り込みスリット１０２が弾性的に開くことにより拡大できるように構成されている。つまり、指１００ａが硬質合成樹脂製の筒状本体１０１の内周面によって弾性的に締め付けられることにより、歯みがき動作中の脱落防止が図られている。
【０００４】
次に、図２２を参照して、特許文献２に開示されている、人差し指に差し込み使用する「指サック式歯ブラシ」について説明する。指サック式歯ブラシ２００は、人差し指を入れるゴム又はビニール状の筒状部と、親指を差し込む口２０４が設けられた平坦部とを有するサック本体２０１と、筒状部の腹の部分に設けられた歯ブラシ部２０３とを含む。ユーザーは、筒状部に人差し指を挿入すると共に、サック本体２０１が抜けないように親指を口２０４に通して、指サック式歯ブラシ２００で歯の裏側及び奥歯等隅々の歯磨きを行う。
【０００５】
次に、図２３を参照して、特許文献３に開示されている「フィンガー歯ブラシ」について説明する。図２３（ａ）に示すようにフィンガー歯ブラシ３００は、ユーザが指を挿入できるように袋状に形成された指サック部３０１と指サック部３０１の開口部に設けられた細長の延長部３０３とを含む。延長部３０３のほぼ中間領域に延長部３０３の長手方向に直角にスリット３０２が設けられている。指サック部３０１の片面には、歯ブラシまたは歯茎のマッサージのための摩擦面３０５が設けられている。延長部３０３において指サック部３０１に近い領域が折り返し部３０４であり、先端に近い領域が把持部３０６である。
【０００６】
図２３（ｂ）に段階的に示すように、フィンガー歯ブラシ３００はユーザの指に装着される。具体的には、指サック部３０１に指を挿入し、垂下している把持部３０６を上方に持ち上げて、延長部３０３を折り返して、スリット３０２を指に貫通させ、さらに延長部３０３を押し下げてフィンガー歯ブラシ３００は装着される。装着の結果、スリット３０２で指サック部３０１の開口部近くが締まり、指サック部３０１が指に固定されると共に、指の付け根部に折り返し縁３０７が形成される。
【０００７】
図２３（ｃ）に示すように、装着されたフィンガー歯ブラシ３００は脱着される。具体的には、装着された状態のフィンガー歯ブラシ３００は、延長部３０３の末端の把持部３０６を引き上げることにより、スリット３０２が開放されて、指サック部３０１が指から抜ける。または、摩擦面３０５を覆うように把持部３０６を折り返し、延長部３０３で摩擦面３０５を覆い被せた状態で、指でつまんで指から外す。
【先行技術文献】
【特許文献】
【０００８】
【特許文献１】実開平２−１１９０３０号公報
【特許文献２】実開昭６３−５９５３１号公報
【特許文献３】特開２００１−２４５７２５号公報
【発明の概要】
【発明が解決しようとする課題】
【０００９】
特許文献１に開示の歯ブラシ１００（図２１）において、硬質合成樹脂で形成された筒状本体１０１のスリット１０２が先端部１０１ｂとの境界部分を支点として弾性的に開く（閉じる）ことによって筒状本体１０１の内径は拡大（縮小）する。歯ブラシ１００の指１００ａへの装着は、先端部１０１ｂの円筒状内壁面に押しつけられることにより、指先の側周部に部分的に発生する摩擦力によって行われる。
【００１０】
筒状本体１０１は、スリット１０２を有して異なる大きさの指１００ａに対応するとは言え、先端部１０１ｂは挿入される指先より小さく無ければならないので、実際に対応できる指の大きさは限定される。また、指１００ａは、円筒形ではなく先細り且つ扁平であると共に、関節部などで部分的に突出した形状である。指１００ａは、３つの関節を有して一方向に自由度高く曲がると共に若干曲がった状態が自然で楽な姿勢であるので、抜けを防止するための、硬質合成樹脂で形成された円筒形の筒状本体１０１に指をきつめに挿入してのブラッシング動作は負担が大きく、痛みを伴いやすい。
【００１１】
図２１に示されるように、筒状本体１０１は人差し指１００ａの先端から近位指節間関節（以降、「第２関節」）までが挿入されて使用される。人の指は、特に力を入れ無ければ、遠位指節間関節（以降、「第１関節」）及び第２関節で若干曲がった状態が自然である。しかし、筒状本体１０１は硬質合成樹脂で形成されているために、内部で指を第１関節で自由に曲げることが出来ない。また筒状本体１０１の開放端部が第２関節の間近に位置することと、第１関節を曲げないで第２関節のみを曲げることが非常に困難であることとが相俟って、第１関節及び第２関節が伸びた状態で固定され、中手指節関節（以降「第３関節」）のみが自由という非常に窮屈な状態で歯磨き動作を行わざるを得ない。
【００１２】
言い換えれば指が一本の歯ブラシと化した状態であり、歯の裏側や歯間などの線状ブラシ１０５ａを当てにくい箇所を磨くためには、第１関節及び第２関節を曲げての対応は出来ず、手首や腕、さらには体の向きや姿勢を変える必要が生じる。また、第１関節及び第２関節を伸ばしたままでの作業は、若干曲がった自然で楽な姿勢に反する無理な姿勢であるので、使用者の疲れを招きやすい。
【００１３】
つまり、第１関節及び第２関節を曲げることが出来れば、指先（ブラシ部１０５、平坦部１０３）に掛かる力を、アーチ状を成した指全体で各関節で分散させながら楽に受け止めることができる。しかしながら、第１関節及び第２関節を曲げることが出来なければ、指先に掛かる力は第１関節及び第２関節で分散させることが出来ずに、てこの関係で増大化されて、第３関節に集中的に働き歯みがき動作を苦痛なものにする。これは、力を入れたり、歯の裏側を磨くなど姿勢を変える場合に顕著になる。
【００１４】
さらに、歯ブラシ１００は、筒状本体１０１の内壁面に押しつけられた指との摩擦力によって装着されているので、ブラシ部１０５を押す（図２１（ｄ）に於いて、右から左に移動させる）場合は良いが、引く（図２１（ｄ）に於いて、左から右に移動させる）場合は、押しつけ力及び摩擦力が失われて、歯ブラシ１００が指１００ａから抜けてしまう。
【００１５】
これを防止するためには、指１００ａから筒状本体１０１を引き抜こうとする力に抗する摩擦力を増大させるために、指１００ａを第１関節で曲げて指先を先端部１０１ｂの内壁に強く押しつけるか、筒状本体１０１の内形状を小さくする必要がある。しかしながら、スリット１０２間の部分は円弧状断面を有する硬質合成樹脂製の板であるので、前者の場合、第２関節の動きが筒状本体１０１の開放端部で制限された状態で第１関節を曲げることは困難である。後者の場合、指１００ａが筒状本体１０１の内周壁によって恒常的に締め付けられて動きが制限されると共に血行にもよくない。
【００１６】
また、指は腹部では先端部１０１ｂの内周壁に比較的大きな面積で接触押圧し、関節部では比較的小さな面積で接触押圧するので、関節部での摩擦力は腹部での摩擦力に比べて小さく十分な保持力を得られない。関節部での摩擦力を確保するために単位接触面積当たりの押圧力を大きくすれば、指の締め付け力、特に関節部に対する締め付け力も大きくなり、指に痛みを与えたり、血行不良を招くことになる。
【００１７】
また、先端部１０１ｂの円筒状内面と指とは、指の腹などの柔らかい部位では比較的広い面積で接触し、関節部では比較的狭い面積で接触する。そのために、指に掛かる単位面積当たりの押圧力は関節部では腹部より大きくなり痛みが増すが、得られる摩擦力は腹部より小さくなるので、指（末節部）と先端部１０１ｂの円筒状内面との摩擦力は減少する。さらに、ブラッシング時の引く方向は指（末節部）が先端部１０１ｂの円筒状内面を押す方向に対して垂直に近いので、円筒状内面との摩擦力は指を引く力によって相殺されて、装着力は減少して抜けやすくなる。
【００１８】
特許文献２に開示の指サック式歯ブラシ２００（図２２）は、歯ブラシ部２０３が設けられた筒状部に人差し指を入れると共に、親指を口２０４に差し込んだ状態で使用される。そのために、上述の歯ブラシ１００（特許文献１）とは異なり、歯ブラシ部２０３を押す（図２２（ａ）に於いて、右から左に移動させる）場合も、引く（図２２（ａ）に於いて、左から右に移動させる）場合も共に、それぞれ人差し指及び親指によって指サック式歯ブラシ２００が抜けてしまうことが防止される。さらに、指サック式歯ブラシ２００を装着した状態でも、血行の問題も無く且つ人差し指を曲げることができるという利点がある。
【００１９】
しかしながら、指サック式歯ブラシ２００においては、ブラッシング中に指から抜けるまでには至らなくとも、ブラッシングに支障を来したり、使用者に負担を強いたりする場合がある。つまり、抜け防止及び確実なブラッシングのためには、図２２に示すように、人差し指と親指を突っ張ってサック本体２０１を緊張状態に保つことが好ましい。なぜならば、サック本体２０１が弛んだ状態であれば、ブラッシングの最中に歯ブラシ部２０３が動いて、歯に適切に当たらなくなるからである。サック本体２０１が緊張状態で指サック式歯ブラシ２００が装着されていても、例えば歯の裏側などを磨くために人差し指を曲げれば、サック本体２０１は弛んでしまい、ブラシ部２０３は抜けないまでもブラッシング中に動いてしまう。
【００２０】
そのために、使用者はブラッシング中は人差し指の曲げ具合に応じて、親指を無理な姿勢で変化させる必要がある。サック本体２０１は、人差し指が真っ直ぐな状態の時が一番緊張状態にあり、曲げに応じて生じる弛み代の分だけ、装着する手に対して小さめである必要がある。このように、指サック式歯ブラシ２００では、歯ブラシ部２０３を直接操作する人差し指ばかりで無く、親指までをも所定の姿勢に保たなければならず、使用者に負担がかかると共に、場合によっては親指が干渉してブラッシングの邪魔となる。
【００２１】
特許文献３に開示のフィンガー歯ブラシ３００（図２３）は、指を挿入した状態の指サック部３０１の開放端部から垂下している延長部３０３に設けられたスリット３０２で締め付けて指に固定される。このように、フィンガー歯ブラシ３００は人差し指（第３関節近く）のみで固定されるので、指サック式歯ブラシ２００（特許文献２）における親指に関する問題を有しない。また、人差し指を自由に曲げることが出来ないという歯ブラシ１００（特許文献１）における問題も有しない。
【００２２】
しかしながら、ブラッシング中に、指サック部３０１の移動及び抜けを防止するためには、スリット３０２による締め付け力は必要十分な大きさである必要があり、歯ブラシ１００におけるのと同様に血行の問題を有する。さらに、延長部３０３の折り返し部３０４、折り返し縁３０７、及び把持部３０６が指サック部３０１の開放端部（人差し指の根本）付近で立体的且つ可動的に形成されており、ブラッシング中に当たったりしてブラッシング対象に不快感を与えたり、使用者自身の邪魔になったりするという、歯ブラシ１００及び指サック式歯ブラシ２００の何れにも無い問題を有する。
【００２３】
本発明は、上述の問題に鑑みて、使用者に負担を掛けずに容易に着脱できると共に、締め付けること無く容易且つ確実に指に装着して歯みがきが行える歯みがき用指サックを提供することを目的とする。
【課題を解決するための手段】
【００２４】
より具体的に本発明に係る歯磨き用指サックは、
一端が湾曲先端部によって閉じられ、他端に開口部が設けられ、可撓性素材で形成された筒状の本体によって構成され、
前記本体は、前記開口部から前記湾曲先端部との間に少なくとも１つ以上の屈曲部を有し、
前記屈曲部の突状内壁面には隆起部が設けられ、
前記湾曲先端部には、ブラシ部が設けられ、
前記本体の側周壁には前記開口部から前記湾曲先端部まで帯状に設けられた肉厚部が設けられ、
さらに、前記本体の周囲に環状肉厚部が設けられていることを特徴とする。
【発明の効果】
【００２５】
本発明に係る歯磨き用指サックは、可撓性の素材で一部に屈曲部を有しているので、屈曲部内部に指先の腹を引っ掛けることができる。そのため指サックを装着したまま前後に擦っても、指サックが抜けにくい。よって、指よりも大きめの指サックを使用することができるので、着脱が容易になる。また、指よりも大きめの指サックを使うので、指が圧迫されることがない。
【図面の簡単な説明】
【００２６】
【図１】本発明の実施の形態１の実施例１に係る指サックの構造の説明図である。
【図２】本発明の実施の形態１の実施例２に係る指サックの構造の説明図である。
【図３】本発明の実施の形態１の実施例３に係る指サックの構造の説明図である。
【図４】本発明の実施の形態２の実施例１に係る指サックの構造の説明図である。
【図５】本発明の実施の形態３の実施例１に係る指サックの構造の説明図である。
【図６】本発明の実施の形態３の実施例２に係る指サックの構造の説明図である。
【図７】本発明の実施の形態３の実施例３に係る指サックの構造の説明図である。
【図８】本発明の実施の形態３の実施例４に係る指サックの構造の説明図である。
【図９】本発明の実施の形態３の実施例５に係る指サックの構造の説明図である。
【図１０】本発明の実施の形態３の実施例６に係る指サックの構造の説明図である。
【図１１】本発明の実施の形態３の実施例７に係る指サックの構造の説明図である。
【図１２】本発明の実施の形態３の実施例８に係る指サックの構造の説明図である。
【図１３】本発明の実施の形態４の実施例１に係る指サックの構造の説明図である。
【図１４】本発明の実施の形態４の実施例２に係る指サックの構造の説明図である。
【図１５】本発明の実施の形態４の実施例３に係る指サックの構造の説明図である。
【図１６】本発明の実施の形態４の実施例４に係る指サックの構造の説明図である。
【図１７】本発明の実施の形態４の実施例５に係る指サックの構造の説明図である。
【図１８】本発明の実施の形態４の実施例６に係る指サックの構造の説明図である。
【図１９】本発明の実施の形態４の実施例７に係る指サックの構造の説明図である。
【図２０】ブラシ部の針状突起の形状のバリエーションを示す図である。
【図２１】特許文献１に開示されている歯ブラシの外観を示す斜視図である。
【図２２】特許文献２に開示されている指サック式歯ブラシの使用状態を示す図である。
【図２３】特許文献３に開示されているフィンガー歯ブラシを示す図である。
【発明を実施するための形態】
【００２７】
本発明に係る、歯みがき用指サック（以降、「指サックＣｆ」）は、使用者が自身の指（好ましくは人差し指）に装着して、歯みがき動作を行う際に用いられる。使用者が磨く歯とは、自分の歯はもちろん、他人の歯やペットの歯であってもよい。なお、「歯みがき動作」とは、歯、歯茎（歯肉）、或いは歯の隙間の汚れ落としや歯茎（歯肉）のマッサージを目的とするブラッシング動作を言う。指サックＣｆは、装着されるであろう指の長さや太さを予め想定し、長さや太さを決めて作製される。
【００２８】
基本的に指サックＣｆは、装着される指が人差し指であることを想定し、人差し指の基節骨まで覆われるように設計される。しかし、１つの大きさで全ての人の人差し指に適合することはできない。したがって、いくつかの大きさのものが提供されてよい。
【００２９】
＜実施の形態１＞
図１〜図３を参照して本発明の実施の形態１に係る指サックＣｆ１の実施例のそれぞれについて具体的に説明する前に、本発明の実施の形態１に係る指サックＣｆ１（不図示）の基本的構成について説明する。指サックＣｆ１のサック本体Ｓｃは、可撓性を有する材質（素材）によって、末端（他端）に開口部Ｏを有し、先端（一端）に湾曲面で閉ざされた湾曲先端部Ｒを有する一端が閉じられた筒形状に形成される。なお、「一端が閉じられた筒形状」は以後単に「筒形状」と呼ぶ。また、一端が閉じられた筒形状に形成された物を「筒体」と呼ぶ。筒体の内径は、特に円でなくてもよいし、場所によって同じでなくてもよい。
【００３０】
サック本体Ｓｃは、開口部Ｏから湾曲先端部Ｒに向かっておおよそその断面が徐々に小さくなるように形成される。ただし、後述するように、開口部Ｏから湾曲先端部Ｒまでの間に断面積が部分的に狭くなる部分があってもよい。また、サック本体Ｓｃは、開口部Ｏから湾曲先端部Ｒまでの間に少なくとも一箇所の屈曲部Ｆ１が設けられる。この屈曲部Ｆ１の中心を屈曲点Ｐ１と呼ぶ。サック本体Ｓｃにおいて、屈曲点Ｐ１より湾曲先端部Ｒまでの部分をサック上部Ｓｃ１、屈曲点Ｐ１より開口部Ｏまでの部分をサック下部Ｓｃ２とする。また、開口部Ｏから湾曲先端部Ｒに向かう方向を長さ方向と呼ぶ。
【００３１】
なお、屈曲部Ｆ１はサック本体Ｓｃ内に複数個存在してもよい。しかし、湾曲先端部Ｒから開口部Ｏに向けて最初の屈曲部Ｆ１は、指の第１関節の付近に設けられる。
【００３２】
サック本体Ｓｃは、サック上部Ｓｃ１及びサック下部Ｓｃ２それぞれの中心軸Ｌ１と中心軸Ｌ２とが所定の角度θ１（以降、「サック屈曲角度θ１」）を成して屈曲点Ｐ１で交差するように、方向Ｄｓ１（以降、「サック屈曲方向Ｄｓ１」）に屈曲している。屈曲部Ｆ１は、サック上部Ｓｃ１とサック下部Ｓｃ２とが部分的に重複する境界部分でもある。なお、中心軸Ｌ１は湾曲先端部Ｒを除いたサック上部Ｓｃ１ａの長さ方向の回転対称軸であり、中心軸Ｌ２は、サック下部Ｓｃ２ａの長さ方向の回転対称軸である。
【００３３】
つまり、屈曲部Ｆ１は屈曲点Ｐ１を含み長さ方向に幅を持った区間といえる。屈曲部Ｆ１の内壁で、サック本体Ｓｃの中心方向に近づくように突状を成す部分を突状内壁面ＳＷｘと呼び、突状内壁面ＳＷｘに対向して中心から離れるように凹状を成す部分を凹状内壁面ＳＷｖと呼ぶ。なお、突状内壁面ＳＷｘの反対（裏）側の外壁は凹状外壁面と呼び、凹状内壁面ＳＷｖの反対（裏）側の外壁は突状外壁面と呼ぶ。
【００３４】
（実施例１）
図１を参照して、本発明の実施の形態１の実施例１に係る歯みがき用指サック（以降、「指サックＣｆ１ａ」）について具体的に説明する。本実施例に係る指サックＣｆ１ａ及びその固有の構成要素及び特徴は、上述の指サックＣｆ１及びその構成要素及び特徴に付されている参照符号に接尾辞「ａ」を追加して表す。図１（ａ）に、右斜め上から見た指サックＣｆ１ａの外観を示す。図１（ｂ）に、指サックＣｆ１ａを長さ方向に二分した側断面を示す。指サックＣｆ１ａは、好ましくはシリコーンに代表される可撓性及び耐水性を有する樹脂材料で一体的に構成される。
【００３５】
図１（ａ）及び図１（ｂ）に見て取れるように、指サックＣｆ１ａは、末端に円形状の開口部Ｏａを有し、湾曲先端部Ｒａによって閉じられた先端に向かってその円形断面（直径）が徐々に小さくなる円錐状の筒体であるサック本体Ｓｃａで構成されている。さらにサック本体Ｓｃａは、屈曲点Ｐ１ａを内包する屈曲部Ｆ１ａで屈曲した形状を有している。サック本体Ｓｃａ（指サックＣｆ１ａ）は、屈曲点Ｐ１ａより湾曲先端部Ｒａまでのサック上部Ｓｃ１ａと、屈曲点Ｐ１ａより開口部Ｏａまでのサック下部Ｓｃ２ａとに大別される。
【００３６】
サック本体Ｓｃａは、サック上部Ｓｃ１ａ及びサック下部Ｓｃ２ａそれぞれの中心軸Ｌ１ａと中心軸Ｌ２ａとが所定のサック屈曲角度θ１ａを成して屈曲点Ｐ１ａで交差するように、サック屈曲方向Ｄｓ１ａに屈曲している。なお、中心軸Ｌ１ａは湾曲先端部Ｒａを除いたサック上部Ｓｃ１ａの長さ方向の回転対称軸であり、中心軸Ｌ２ａは、サック下部Ｓｃ２ａの長さ方向の回転対称軸である。
【００３７】
屈曲部Ｆ１ａはサック上部Ｓｃ１ａとサック下部Ｓｃ２ａとが部分的に重複する境界部分である。屈曲部Ｆ１ａの内壁で、サック本体Ｓｃａの中心方向に近づくように突状を成す部分を突状内壁面ＳＷｘａと呼び、突状内壁面ＳＷｘａに対向して中心から離れるように凹状を成す部分を凹状内壁面ＳＷｖａと呼ぶ。突状内壁面ＳＷｘａの反対（裏）側の外壁は凹状外壁面と呼び、凹状内壁面ＳＷｖａの反対（裏）側の外壁は突状外壁面と呼ぶ。
【００３８】
図１（ｃ）に、図１（ｂ）において、線分Ｉｃ−Ｉｃに沿って、サック上部Ｓｃ１ａを中心軸Ｌ１ａに垂直な面で切った断面Ｃ１ａを示す。図１（ｄ）に、図１（ｂ）において、線分Ｉｄ−Ｉｄに沿って、サック下部Ｓｃ２ａを中心軸Ｌ２ａに垂直な面で切った断面Ｃ２ａを示す。断面Ｃ１ａは直径Ｄ１で規定される円形であり、断面Ｃ２ａは直径Ｄ２（Ｄ２＞Ｄ１）で規定される円形である。上述のように、指サックＣｆ１ａは先端が円形断面形状を有する湾曲先端部Ｒａで閉じられ、下端が円形断面を有する開口部Ｏａで開放されている円錐状の筒体（サック本体Ｓｃａ）が屈曲部Ｆ１ａでサック屈曲方向Ｄｓ１ａに屈曲した形状を有している。直径Ｄ１及びＤ２はそれぞれ円錐状の筒体の開口部Ｏａから湾曲先端部Ｒａに向かって漸減しているのが望ましい。しかし、内径が同じ場所があることを排除しない。なお、直径Ｄ１及びＤ２を指サックＣｆ１ａの直径Ｄと総称する。
【００３９】
図１（ｃ）において、サック上部Ｓｃ１ａの断面Ｃ１ａの円に内接する正方形ＣＳ１が二点鎖線で示されている。正方形ＣＳ１のサック屈曲方向Ｄｓ１ａに平行な二辺のそれぞれを「平行辺Ｌｐ１」とし、サック屈曲方向Ｄｓ１ａに対して垂直な二辺を「垂直辺Ｌｖ１」とする。サック上部Ｓｃ１ａの円筒状周壁（側周部）は、平行辺Ｌｐ１及び垂直辺Ｌｖ１に対応する４つの領域に分けることが出来る。
【００４０】
４つの領域とは、サック屈曲方向Ｄｓ１ａに見て右側（図１（ｃ）において上側）の平行辺Ｌｐ１に対向する上部右側周壁Ｗｐ１Ｒと、左側の平行辺Ｌｐ１（図１（ｃ）において下側）に対向する上部左側周壁Ｗｐ１Ｌと、突状内壁面ＳＷｘａ側（図１（ｃ）において左側）の垂直辺Ｌｖ１に対向する上部凹側周壁Ｗｖ１ｐと、凹状内壁面ＳＷｖａ側（図１（ｃ）において右側）の垂直辺Ｌｖ１に対向する上部突側周壁Ｗｖ１ｄとである。上部凹側周壁Ｗｖ１ｐ及び上部突側周壁Ｗｖ１ｄは、サック上部Ｓｃ１ａの内部から見ればそれぞれ、突（突状内壁面ＳＷｘａ）側及び凹（凹状内壁面ＳＷｖａ）側である。
【００４１】
同様に、図１（ｄ）に示すように、サック下部Ｓｃ２ａの円筒状周壁（側周部）は、サック屈曲方向Ｄｓ１ａに見て、内接する正方形ＣＳ２の右側の平行辺Ｌｐ２に対向する下部右側周壁Ｗｐ２Ｒと、左側の平行辺Ｌｐ２に対向する下部左側周壁Ｗｐ２Ｌと、突状内壁面ＳＷｘａ側の垂直辺Ｌｖ２に対向する下部凹側周壁Ｗｖ２ｐと、凹状内壁面ＳＷｖａ側の垂直辺Ｌｖ２に対向する下部突側周壁Ｗｖ２ｄとの４つの領域に分けることが出来る。
【００４２】
上部凹側周壁Ｗｖ１ｐ及び下部凹側周壁Ｗｖ２ｐと、上部突側周壁Ｗｖ１ｄ及び下部突側周壁Ｗｖ２ｄと、上部右側周壁Ｗｐ１Ｒ及び下部右側周壁Ｗｐ２Ｒと、上部左側周壁Ｗｐ１Ｌ及び下部左側周壁Ｗｐ２Ｌとは、それぞれ互いに連続して、指サックＣｆ１ａのサック本体Ｓｃａを形成している。この意味において、上部凹側周壁Ｗｖ１ｐ及び下部凹側周壁Ｗｖ２ｐを凹側周壁Ｗｖｐと総称し、上部突側周壁Ｗｖ１ｄ及び下部突側周壁Ｗｖ２ｄとを突側周壁Ｗｖｄと総称し、上部右側周壁Ｗｐ１Ｒと下部右側周壁Ｗｐ２Ｒを右側周壁ＷｐＲと総称し、上部左側周壁Ｗｐ１Ｌと下部左側周壁Ｗｐ２Ｌとを左側周壁ＷｐＬと総称する。
【００４３】
指サックＣｆ１ａは、使用に際しては、サック屈曲方向Ｄｓ１ａが指の曲がる方向Ｄｆ（以降、「指屈曲方向Ｄｆ」、不図示）と概ね一致するように指に装着される。この場合、凹側周壁Ｗｖｐは指の腹部側に位置し、突側周壁Ｗｖｄは指の背部側に位置し、右側周壁ＷｐＲは指の右側部側に位置し、左側周壁ＷｐＬは指の左側部側に位置する。ここで指の右側および左側とは、指の背部側から見た方向である。
【００４４】
屈曲部Ｆ１ａには第１関節が収容され、サック上部Ｓｃ１ａには末節部（末節骨）が収容され、サック下部Ｓｃ２ａには少なくとも中節部（中節骨）が収容される。サック下部Ｓｃ２ａには、基節部（基節骨）が収容されてもよい。サック本体Ｓｃに収容される指は、第１関節で自然に指屈曲方向Ｄｆに曲がった状態で収容される。この場合、突状内壁面ＳＷｘａは曲がった指の凹部側に対向し、凹状内壁面ＳＷｖａが曲がった指の突部側に対向する。
【００４５】
なお、末節骨とは、人差し指、中指、薬指、小指において、先端から第１関節までの間の骨であり、中節骨とは、第１関節から第２関節までの間の骨であり、基節骨とは、第２関節から第３関節までの骨を言う。親指は先端から第１関節までの間の骨は末節骨というが、第１関節から第２関節までの間の骨は基節骨となる。つまり、親指は中節骨がない。
【００４６】
また、上記の指の収容状態は、歯磨き動作を人差し指、中指、薬指、小指のいずれかの指を用いて行うことを想定しているが、親指を使って歯磨き動作を行うことを排除するものではない。親指の場合は、中節骨がないので、サック下部Ｓｃ２ａには、基節骨が収容されることとなる。
【００４７】
末節部が中節部に対して曲がる角度を指屈曲角度θｆ（不図示）とすると、サック屈曲角度θ１ａは装着される指が第１関節で自然に曲がった時の指屈曲角度θｆ（５＜θ１ａ＜３０）と同じ或いは近いほど好ましい。このように形成することにより、装着された指の末節部の腹は、サック上部Ｓｃ１ａの上部凹側周壁Ｗｖ１ｐの内壁（突状内壁面ＳＷｘａ側）に接触或いは非常に近接した状態になる。
【００４８】
また、指サックＣｆ１ａは可撓性樹脂で構成されているので、末節部を中節部に対してさらに曲げる或いは伸ばすことにより、末節部の腹でサック上部Ｓｃ１ａを中節部が挿入されているサック下部Ｓｃ２ａに対してサック屈曲角度θ１ａの範囲を超えて（θｆ＜θ１ａ、θｆ＞θ１ａ）、容易に曲げ伸ばすことができる。指屈曲方向Ｄｆがサック屈曲方向Ｄｓ１ａと同じでなくても、曲げ伸ばしに若干の負荷が追加されるものの、サック屈曲角度θ１ａの範囲を超えた任意の角度（θｆ＞θ１ａ、θｆ＜θ１ａ）に曲げ伸ばしが可能である。指サックＣｆ１ａの内形（直径Ｄ）は、指への装着及び脱着の便宜のために、指から不用意に抜けない程度に、装着が想定される指の外形より大きめに設定される。
【００４９】
サック下部Ｓｃ２ａの下端には、開口部Ｏａの外周から遠心方向に張り出した縁Ｅｆａが一体的に設けられている（図１（ａ）、図１（ｂ））。縁Ｅｆａは、サック下部Ｓｃ２ａの開放端部（開口部Ｏａ）の強度補強や、指サックＣｆ１ａの装着或いは脱着の際の手がかりとしての使用を目的としている。
【００５０】
上述の通り、指屈曲方向Ｄｆがサック屈曲方向Ｄｓ１ａと同じでなくても、指サックＣｆ１ａを装着した状態で、末節部は第１関節において可動範囲内の任意の角度（θｆ＞θ１ａ、θｆ＜θ１ａ）に容易に曲げ伸ばしできる。つまり、指サックＣｆ１ａを装着した状態で、末節部は可動範囲内の任意方向（指屈曲方向Ｄｆ）に任意の角度（指屈曲角度θｆ）で曲げ伸ばしできる。
【００５１】
指を湾曲先端部Ｒａに向かって動かす方向を前方向とし、指を開口部Ｏａに向かって動かす方向を後方向とする。また、前後方向に垂直な方向を上下方向とする。歯磨き動作時には、第１関節で末節部が中節部に対して曲がった状態の指が収容されたサック上部Ｓｃ１ａの上部凹側周壁Ｗｖ１ｐの内壁面（突状内壁面ＳＷｘａ）を末節部の腹で押すことによって、上部凹側周壁Ｗｖ１ｐの外面（図１において、左側の周壁の外表面）を、歯茎や歯に押しつけた状態で、利用者は、指を曲げたり伸ばしたりしまた、指単独或いは手全体を前後或いは上下に動かす。
【００５２】
この際（特に、指の後退時）に、上部凹側周壁Ｗｖ１ｐの内面が末節部の腹に対して斜め下方向から強く押しつけられて、両者の間に大きな摩擦力が発生する。この摩擦力は後退力の末節部の腹に対する垂直成分に比例するので、指屈曲角度θｆが大きいほど生じる摩擦力（指サックＣｆ１ａの保持力）は大きくなる。
【００５３】
第１関節で曲がった末節部の腹でサック上部Ｓｃ１ａ（特に、上部凹側周壁Ｗｖ１ｐ）が歯磨き動作の対象に平行ではなく角度を成して斜めに押しつけられることにより，サック本体Ｓｃａ（凹側周壁Ｗｖｐ、突側周壁Ｗｖｄ、右側周壁ＷｐＲ、及び左側周壁ＷｐＬ）の内面との間に生じる摩擦力が、上述の特許文献１におけるように指を後退させる力によって相殺されることがない。
【００５４】
さらに、指でサック上部Ｓｃ１ａを歯磨き動作の対象に押しつける力に加えて、指を後退させる力がサック上部Ｓｃ１ａを歯磨き動作の対象に押しつける力として作用する。結果、指に掛かる負担を軽減しながら、末節部とサック上部Ｓｃ１ａの内壁面との間に大きな摩擦力を生じさせて、指サックＣｆ１ａと指サックＣｆ１ａに挿入された指との間に十分な装着状態の保持力を得ることが出来る。
【００５５】
したがって、指サックＣｆ１ａは、指サックＣｆ１ａに挿入された指より多少大きくても、歯磨き動作の最中に指が指サックＣｆ１ａから抜けることが回避される。結果、指サックＣｆ１ａは少し大きめのサイズのものを利用することができるので、着脱が容易となる。また指サックＣｆ１ａを装着しても装着した指は、指サックＣｆ１ａから圧迫されることが少ない。
【００５６】
また、奥の方の歯や歯茎や歯の裏側等の通常の指の状態ではブラッシングし難い対象に対しては、指の向きを変えたり、更に指を曲げたりしてサック上部Ｓｃ１ａの姿勢や位置を容易に調整できる。このような場合には、指サックＣｆ１ａは指の腹とは別の部分（例えば、指の側面部や背面部）とも当接することにより、さらに大きな摩擦力が生じて、指との装着状態が保持される。指サックＣｆ１ａは、歯のブラッシングに加えて、特に歯茎等のマッサージに適している。
【００５７】
（変形例）
次に、図１（ｅ）及び図１（ｆ）を参照して、指サックＣｆ１ａの変形例である指サックＣｆ１ａ’について説明する。指サックＣｆ１ａ’は、指サックＣｆ１ａ’が指に装着された際に指の側部に対向する部分の周壁が肉厚にされている点を除いては、指サックＣｆ１ａと同様に構成されている。よって、外観及び側断面に関しては、図１（ａ）及び図１（ｂ）を援用すると共に、指サックＣｆ１ａ、湾曲先端部Ｒａ、サック上部Ｓｃ１ａ、サック下部Ｓｃ２ａ、屈曲部Ｆ１ａ、屈曲点Ｐ１ａ、及び開口部Ｏａは、それぞれ指サックＣｆ１ａ’、湾曲先端部Ｒａ’、サック上部Ｓｃ１ａ’、サック下部Ｓｃ２ａ’、屈曲部Ｆ１ａ’、屈曲点Ｐ１ａ’、及び開口部Ｏａ’と読み替えるものとする。
【００５８】
図１（ｅ）及び図１（ｆ）は、それぞれ、サック上部Ｓｃ１ａ’及びサック下部Ｓｃ２ａ’の断面Ｃ１ａ’及び断面Ｃ２ａ’を示している。なお、図面の作成上の都合と、視認性を考慮して、当該変形例に固有の構成要素以外の表示は特に必要ない限り省略する。
【００５９】
同図において、符号Ｗａで示される２箇所の三日月状の断面部分が肉厚部Ｗａである。肉厚部Ｗａは、ブラッシング中に指サックＣｆ１ａ’を装着している指の側部をブラッシング対象の歯の先端より保護することを意図して、右側周壁ＷｐＲ及び左側周壁ＷｐＬに、開口部Ｏａ’から湾曲先端部Ｒａ’まで所定の幅を有して帯状に設けられている。
【００６０】
肉厚部Ｗａは指サックＣｆ１ａ’の右側周壁ＷｐＲ及び左側周壁ＷｐＬのそれぞれの内面から互いに対向して張り出すように、本体と一体的に形成されている例が図示されている。しかし、肉厚部Ｗａは右側周壁ＷｐＲ及び左側周壁ＷｐＬの内面側に本体とは別体的に設けてもよい。また、後程、図５〜図１２を参照して説明するように、肉厚部Ｗａは、右側周壁ＷｐＲ及び左側周壁ＷｐＬの外面から外周側に張り出すように本体と一体的に形成或いは別体的に設けてもよい。
【００６１】
本例においては、肉厚部Ｗａは、湾曲先端部Ｒａ’から開口部Ｏａ’に至る側周部の全域に渡って、所定の厚さを有する帯状体として設けられる。しかし、必要に応じて、設ける位置によってその厚みや幅を変化させてもよい。また、側周部の全域の代わりに任意の一箇所以上の部分に設けてもよく、部分毎に厚みや幅を変えてもよい。
【００６２】
このように、指サックＣｆ１ａ’（サック本体Ｓｃａ’）の右側周壁ＷｐＲ及び左側周壁ＷｐＬに肉厚部Ｗａを設けることにより、歯磨き動作中に歯磨き動作対象である歯先に接触する可能性の高い指の側部を効果的に保護できる。また、自分以外の人間若しくは動物（まとめて「他人」と呼ぶ。）に対して歯磨き動作をおこなう場合で、他人に誤って噛まれてしまった場合でも、被害を低減できる。指の側部が他人の歯先により、サック本体Ｓｃａ’（右側周壁ＷｐＲや左側周壁ＷｐＬ）と共に切り裂かれて傷を負うことと、さらに傷口を経て侵入する他人の口中の種々の雑菌が体内に侵入して罹病することとから使用者を保護できる。
【００６３】
（実施例２）
次に、図２を参照して、本発明の実施の形態１の実施例２に係る指サックＣｆ１ｂについて説明する。図２（ａ）に、右斜め上から見た指サックＣｆ１ｂの外観を示す。図２（ｂ）に、指サックＣｆ１ｂを縦方向に二分した側断面を示す。同図から見てとれるように、円錐状の筒体が楕円錐状の筒体に置き換えられている点を除いて、指サックＣｆ１ｂは上述の指サックＣｆ１ａと同様に構成されている。
【００６４】
以降、指サックＣｆ１ａの構成要素に対応する指サックＣｆ１ｂ（実施例２）に固有の構成要素については、指サックＣｆ１ａの構成要素に付された参照符号の接尾辞を「ａ」の代わりに「ｂ」を付して識別すると共に、特に必要の無い限り説明を省く。
【００６５】
指サックＣｆ１ｂにおける、湾曲先端部Ｒｂ、サック上部Ｓｃ１ｂ、屈曲部Ｆ１ｂ、サック下部Ｓｃ２ｂ、開口部Ｏｂ、及び縁Ｅｆｂは、図２（ｃ）及び図２（ｄ）に示されるように、その延在軸（中心軸Ｌ１ｂ及びＬ２ｂ）に垂直な平面で切った断面形状が楕円状であることを除いて、指サックＣｆ１ａにおける湾曲先端部Ｒａ、サック上部Ｓｃ１ａ、屈曲部Ｆ１ａ、サック下部Ｓｃ２ａ、開口部Ｏａ、及び縁Ｅｆａと同様に構成されている。なお、中心軸Ｌ１ｂは、サック上部Ｓｃ１ａの長さ方向の回転対称軸であり、中心軸Ｌ２ｂは、サック下部Ｓｃ２ａの長さ方向の回転対称軸である。
【００６６】
サック上部Ｓｃ１ｂ及びサック下部Ｓｃ２ｂは中心軸Ｌ１ｂ及び中心軸Ｌ２ｂに沿って延在している。中心軸Ｌ１ｂと中心軸Ｌ２ｂは屈曲点Ｐ１ｂでサック屈曲角度θ１ｂを成して交差し、サック上部Ｓｃ１ｂはサック下部Ｓｃ２ｂに対して、サック屈曲方向Ｄｓ１ｂに屈曲している。サック上部Ｓｃ１ｂ及びサック下部Ｓｃ２ｂはサック本体Ｓｃｂを構成している。
【００６７】
図２（ｃ）に、図２（ｂ）において、線分ＩＩｃ−ＩＩｃに沿って、上部Ｓｃ１ｂを中心軸Ｌ１ｂに垂直な面で切った断面Ｃ１ｂを示す。図２（ｄ）に、図２（ｂ）において、線分ＩＩｄ−ＩＩｄに沿って、サック下部Ｓｃ２ｂを中心軸Ｌ２ｂに垂直な面で切った断面Ｃ２ｂを示す。
【００６８】
断面Ｃ１ｂは、長軸Ａａ１及び短軸Ａｉ１（Ａａ１＞Ａｉ１）で規定される楕円形であり、断面Ｃ２ｂは長軸Ａａ２及び短軸Ａｉ２（Ａａ２＞Ａａ１、Ａｉ２＞Ａｉ１、Ａａ２＞Ａｉ２）で規定される楕円形である。断面Ｃ１ｂと断面Ｃ２ｂとは好ましくは相似形であり、さらにサック屈曲方向Ｄｓ１ｂは短軸Ａｉ１及びＡｉ２と平行であるが、それに限定されるものではない。短軸Ａｉ１及びＡｉ２を短軸Ａｉと総称し、長軸Ａａ１及びＡａ２を長軸Ａａと総称する。
【００６９】
図２（ｃ）において、サック上部Ｓｃ１ｂの断面Ｃ１ｂの楕円に内接する長方形ＣＲ１が二点鎖線で示されている。長方形ＣＲ１のサック屈曲方向Ｄｓ１ｂに平行な二辺のそれぞれを「短辺Ｌｓ１」とし、サック屈曲方向Ｄｓ１ｂに対して垂直な二つの長辺を「長辺Ｌｌ１」とする。
【００７０】
サック上部Ｓｃ１ｂの楕円筒状周壁（側周部）は、サック屈曲方向Ｄｓ１ｂに見て右側（図２（ｃ）において上側）の短辺Ｌｓ１に対向する上部右側周壁Ｗｅ１Ｒと、左側の短辺Ｌｓ１（図２（ｃ）において下側）に対向する上部左側周壁Ｗｅ１Ｌと、突状内壁面ＳＷｘｂ側（図２（ｃ）において左側）の長辺Ｌｌ１に対向する上部凹側周壁Ｗｅ１ｐと、凹状内壁面ＳＷｖｂ側（図２（ｃ）において右側）の長辺Ｌｌ１に対向する上部突側周壁Ｗｅ１ｄとの４つの領域に分けることができる。上部凹側周壁Ｗｅ１ｐ及び上部突側周壁Ｗｅ１ｄは、サック上部Ｓｃ１ｂの内部から見ればそれぞれ、突（突状内壁面ＳＷｘｂ）側及び凹（凹状内壁面ＳＷｖｂ）側である。
【００７１】
同様に、図２（ｄ）に示すように、サック下部Ｓｃ２ｂの楕円筒状周壁（側周部）は、内接する長方形ＣＲ２のサック屈曲方向Ｄｓ１ｂから見て左右の短辺Ｌｓ２に対向する下部左側周壁Ｗｅ２Ｌ及び下部右側周壁Ｗｅ２Ｒと、突状内壁面ＳＷｘｂ側の長辺Ｌｌ２に対向する下部凹側周壁Ｗｅ２ｐと、凹状内壁面ＳＷｖｂ側の長辺Ｌｌ２に対向する下部突側周壁Ｗｅ２ｄとの４つの領域に分けることが出来る。
【００７２】
上部凹側周壁Ｗｅ１ｐ及び下部凹側周壁Ｗｅ２ｐと、上部突側周壁Ｗｅ１ｄ及び下部突側周壁Ｗｅ２ｄと、上部右側周壁Ｗｅ１Ｒ及び下部右周壁Ｗｅ２Ｒと、上部左側周壁Ｗｅ１Ｌ及び下部左側周壁Ｗｅ２Ｌとは、それぞれ連続して形成されて、凹側周壁Ｗｅｐと突側周壁Ｗｅｄと右側周壁ＷｅＲと左側周壁ＷｅＬとして、指サックＣｆ１ｂのサック本体Ｓｃｂを形成している。
【００７３】
指サックＣｆ１ｂは、指サックＣｆ１ａと同様に、サック屈曲方向Ｄｓ１ｂが指屈曲方向Ｄｆに概ね一致するように指に装着されて用いられる。但し、人の指の断面は円形ではなく扁平であるので、楕円形断面形状を有する指サックＣｆ１ｂは、円形断面形状を有する指サックＣｆ１ａに比べて、装着された指との間に生じる隙間をより小さくできる。
【００７４】
短軸Ａｉ（Ａｉ１、Ａｉ２）方向の寸法が装着される指よりも小さい場合は、その寸法差は長軸Ａａ（Ａａ１、Ａａ２）方向の部材によって補われると共に、指の腹及び背と指サックＣｆ１ｂとの密着度（摩擦力）は向上（増大）する。結果、ブラッシング時に抜け難いと共によりフィットした装着感が得られる。
【００７５】
（変形例）
次に、図２（ｅ）及び図２（ｆ）を参照して、指サックＣｆ１ｂの変形例である指サックＣｆ１ｂ’について説明する。指サックＣｆ１ｂ’は、指サックＣｆ１ａの変形例である指サックＣｆ１ａ’と同様に、指の側部に対応する部分の周壁に肉厚部Ｗｂが設けられている点を除いては、指サックＣｆ１ｂと同様に構成されている。よって、指サックＣｆ１ｂ’の外観及び側断面に関しては、図２（ａ）及び図２（ｂ）を援用すると共に構成の説明を省く。指サックＣｆ１ｂ、湾曲先端部Ｒｂ、サック上部Ｓｃ１ｂ、サック下部Ｓｃ２ｂ、屈曲部Ｆ１ｂ、屈曲点Ｐ１ｂ、及び開口部Ｏｂは、それぞれ指サックＣｆ１ｂ’、湾曲先端部Ｒｂ’、サック上部Ｓｃ１ｂ’、サック下部Ｓｃ２ｂ’、屈曲部Ｆ１ｂ’、屈曲点Ｐ１ｂ’、及び開口部Ｏｂ’と読み替えるものとする。
【００７６】
図２（ｅ）及び図２（ｆ）は、それぞれ、サック上部Ｓｃ１ｂ’及びサック下部Ｓｃ２ｂ’の断面Ｃ１ｂ’及び断面Ｃ２ｂ’を示している。なお、図面の作成上の都合と、視認性を考慮して、当該変形例に固有の構成要素以外の表示は特に必要ない限り省略する。
【００７７】
同図において、符号Ｗｂで示される２箇所の三日月状の断面部分が肉厚部Ｗｂである。肉厚部Ｗｂは、上述の肉厚部Ｗａと同様に、ブラッシング中に指サックＣｆ１ｂ’を装着している指の側部をブラッシング対象の歯の先端より保護することを意図して、右側周壁ＷｅＲ及び左側周壁ＷｅＬに、開口部Ｏｂ’から湾曲先端部Ｒｂ’まで所定の幅を有して帯状に設けられている。肉厚部Ｗｂも右側周壁ＷｅＲ及び左側周壁ＷｅＬのそれぞれの内面或いは外面から張り出すように、サック本体Ｓｃｂと一体的或いは別体的に形成されてもよいことは、肉厚部Ｗａと同様である。厚みや設ける場所に関しても、肉厚部Ｗａと同様である。
【００７８】
（実施例３）
次に、図３を参照して、本発明の実施の形態１の実施例３に係る指サックＣｆ１ｃについて説明する。図３（ａ）、図３（ｂ）、図３（ｃ）、及び図３（ｄ）は、上述の図２（ａ）、図２（ｂ）、図２（ｃ）、及び図２（ｄ）と同様に、それぞれ、指サックＣｆ１ｃの右斜め上から見た外観、指サックＣｆ１ｃの縦断面、サック上部Ｓｃ１ｃの横断面、及びサック下部Ｓｃ２ｃの横断面を示している。同図から見て取れるように、指サックＣｆ１ｃは円錐状の筒体が四角錐状の筒体に置き換えられている点を除いて、上述の指サックＣｆ１ｂと同様に構成されている。
【００７９】
以降、指サックＣｆ１ｂの構成要素に対応する指サックＣｆ１ｃ（実施例３）に固有の構成要素については、指サックＣｆ１ｂの構成要素に付された参照符号の接尾辞を「ｂ」の代わりに「ｃ」を付して識別すると共に、特に必要の無い限り説明を省く。
【００８０】
指サックＣｆ１ｃにおける、湾曲先端部Ｒｃ、サック上部Ｓｃ１ｃ、屈曲部Ｆ１ｃ、サック下部Ｓｃ２ｃ、開口部Ｏｃ、及び縁Ｅｆｃは、図３（ｃ）及び図３（ｄ）に示されるように、その延在軸である中心軸Ｌ１ｃ及びＬ２ｃに垂直な平面で切った断面形状が四角形（矩形）状である。
【００８１】
より正確に言えば、指サックＣｆ１ｃは、角Ｃｘ１及びＣｘ２（Ｃｘ１＜Ｃｘ２）が丸い角丸四角形状の横断面を有する角丸四角錐状の筒体（サック本体Ｓｃｃ）がサック屈曲方向Ｄｓ１ｃに屈曲している。角Ｃｘ１及びＣｘ２の丸みの大きさは製造上及び使用上の便宜や耐久性及び装着感を考慮して決定されている。なお、角Ｃｘ１及び角Ｃｘ２を廃止してもよい。この意味において、本明細書においては、それぞれ角丸四角形状断面及び角丸四角錐状も含めてそれぞれ四角形（矩形）状断面及び四角錐状と呼ぶ。
【００８２】
図３（ｃ）及び図３（ｄ）に示すように、断面Ｃ１ｃは、互いに直交すると共に相手を二等分する２本の中心線Ｌａ１及びＬｉ１（Ｌａ１≧Ｌｉ１）で規定される矩形である。同様に、断面Ｃ２ｃは、２本の中心線Ｌａ２（Ｌａ１＜Ｌａ２）及びＬｉ２（Ｌｉ１＜Ｌａ２、Ｌａ２≧Ｌｉ２）で規定される矩形である。つまり、断面Ｃ１ｃ及びＣ２ｃの矩形とは、正方形も含まれるが、本発明においては図示例（Ｌａ１＞Ｌｉ１、Ｌａ２＞Ｌｉ２）に従い、中心線Ｌａ１及びＬａ２を長軸Ｌａと総称し、中心線Ｌｉ１及びＬｉ２を短軸Ｌｉと総称する。
【００８３】
断面Ｃ１ｃと断面Ｃ２ｃとは好ましくは相似形であり、さらにサック屈曲方向Ｄｓ１ｃは短軸Ｌｉと平行であるが、それに限定されるものではない。断面Ｃ１ｃ及び断面Ｃ２ｃを断面Ｃｃと総称し、角Ｃｘ１及びＣｘ２を角Ｃｘと総称する。本実施例においては、長軸Ｌａと短軸Ｌｉとが交差する角部は丸い角Ｃｘに形成されていることは上述の通りである。
【００８４】
サック上部Ｓｃ１ｃの矩形筒状周壁（側周部）は、サック屈曲方向Ｄｓ１ｃに見て右側（図３（ｃ）及び図３（ｄ）において上側）の短軸Ｌｉ（Ｌｉ１、Ｌｉ２）に対向する右側周壁ＷｒＲ（上部右側周壁Ｗｒ１Ｒ、下部右側周壁Ｗｒ２Ｒ）と、左側の（図３（ｃ）及び図３（ｄ）において下側）の短軸Ｌｉ（Ｌｉ１、Ｌｉ２）に平行な左側周壁ＷｒＬ（上部左側周壁Ｗｒ１Ｌと、下部左側周壁Ｗｒ２Ｌ）と、突状内壁面ＳＷｘｃ側（図３（ｃ）及び図３（ｄ）において左側）の長軸Ｌａに平行な凹側周壁Ｗｒｐ（上部凹側周壁Ｗｒｌｐ、下部凹側周壁Ｗｒ２ｐ）と、凹状内壁面ＳＷｖｃ側（図３（ｃ）及び図３（ｄ）において右側）の長軸Ｌａに平行な突側周壁Ｗｒｄ（上部突側周壁Ｗｒ１ｄ、下部突側周壁Ｗｒ２ｄ）との４つの領域に分けることができる。凹側周壁Ｗｒｐ及び突側周壁Ｗｒｄは、サック本体Ｓｃｃの内部から見ればそれぞれ、突状内壁面ＳＷｘｃ側及び凹状内壁面ＳＷｖｃ側である。
【００８５】
（変形例）
次に、図３（ｅ）及び図３（ｆ）を参照して、指サックＣｆ１ｃの変形例である指サックＣｆ１ｃ’について説明する。指サックＣｆ１ｃ’は、指サックＣｆ１ａ’及びＣｆ１ｂ’と同様に、指の側部に対応する部分の周壁に肉厚部Ｗｃが設けられている点を除いては、指サックＣｆ１ｃと同様に構成されている。よって、指サックＣｆ１ｃ’の外観及び側断面に関しては、図３（ａ）及び図３（ｂ）を援用すると共に構成の説明を省く。
【００８６】
肉厚部Ｗｃは、上述の肉厚部Ｗａ及びＷｂと同様に、装着された指の側に相当する右側周壁ＷｒＲ及び左側周壁ＷｒＬの少なくとも何れか一方の内面に一体的或いは別体的に設けられても良いし、右側周壁ＷｒＲ及び左側周壁ＷｒＬの少なくとも何れか一方の外面に一体的或いは別体的に設けられても良い。なお、肉厚部Ｗａ、Ｗｂ、及びＷｃを肉厚部Ｗと総称する。そして、上述の指サックＣｆ１ａ’、Ｃｆ１ｂ’、及びＣｆ１ｃ’に代表される指サックＣｆ１の変形例を指サックＣｆ１’と総称する。
【００８７】
＜実施の形態２＞
図４を参照して詳述する前に、本発明の実施の形態２に係る指サックＣｆ２（不図示）について説明する。指サックＣｆ２は、上述の実施の形態１に係る指サックＣｆ１の屈曲部Ｆ１の突状内壁面ＳＷｘに、装着された指の腹に対向する位置に部分的に隆起部Ｂが設けられている。
【００８８】
より詳しく言えば、指サックＣｆ２の屈曲部Ｆ１における屈曲した内壁面の突状内壁面ＳＷｘ側に、装着された指の第１関節に対向する位置に、隆起部Ｂが設けられている。これは、指サックＣｆ２が歯みがき動作中に前後動された場合に、隆起部Ｂが指の屈曲凹部（或いはその近傍）に当接して、指サックＣｆ２の動きを抑制することを意図している。なお、指の屈曲凹部とは、第１関節の指の腹側である。指サックＣｆ２の指に対する前後方向の動きを抑制することにより、ブラッシング対象に対する指サックＣｆ２の当接状態の安定を図ると共に、装着者の意に反する脱着を防止する。つまり、装着状態の保持力の向上と言って良い。
【００８９】
（実施例１）
次に、図４を参照して、本発明の実施の形態２の実施例１に係る歯みがき用指サックＣｆ２ａ（以降、「指サックＣｆ２ａ」）について具体的に説明する。指サックＣｆ２ａは、上述の実施の形態１の実施例１に係る指サックＣｆ１ａ（図１）に隆起部Ｂａが設けられている。
【００９０】
図４（ａ）に、図１（ｂ）と同様に、指サックＣｆ２ａの縦断面を示す。同図に見てとれるように、隆起部Ｂａが、サック本体Ｓｃａの内壁面に設けられている点を除いて、指サックＣｆ２ａは上述の指サックＣｆ１ａと同様に構成されている。指サックＣｆ２ａに固有の構成要素について、固有の参照符号を付して重点的に説明すると共に、指サックＣｆ１ａと共通の構成要素及び特徴については、視認性の便宜上及び説明の簡便化の為に、特に必要の無い限り図示或いは説明を省く。
【００９１】
隆起部Ｂａは、突状内壁面ＳＷｘａ上に、サック屈曲方向Ｄｓ１ａに概ね平行な直径Ｄ（図４（ｂ））に対して概ね垂直に交わる位置を中心として、凹状内壁面ＳＷｖａ側に張り出して設けられている。隆起部Ｂａは、サック上部Ｓｃ１ａ側の端部及びサック下部Ｓｃ２ａ側の端部より中央に向かって厚みを徐々に増し、もっとも厚みの大きな点で最隆起点Ｐｓを形成する（図４（ａ））。
【００９２】
隆起部Ｂａは、指サックＣｆ２ａの中心軸Ｌ１ａ及びＬ２ａの延在方向に関して、上端はサック上部Ｓｃ１ａ（屈曲部Ｆ１ａの上部）に、下端はサック下部Ｓｃ２ａ（屈曲部Ｆ１ａの下部）に位置している。最隆起点Ｐｓは屈曲部Ｆ１ａ（屈曲部Ｆ１ａの中央部及び近傍）に位置している。サック本体Ｓｃａの内壁面から最隆起点Ｐｓまでの距離を、最隆起点高Ｈｐｓとする。
【００９３】
図４（ｂ）に、図４（ａ）において、中心軸Ｌ１ａに垂直な線分ＩＶｂ−ＩＶｂ（直径Ｄ）に沿う面で、最隆起点Ｐｓを通って切った横断面Ｃ２ｓを示す。同図において、隆起部Ｂａは、凹側周壁Ｗｖｐの内面（突状内壁面ＳＷｘａ）に、好ましくは、中心軸Ｌ１ａと交差するサック屈曲方向Ｄｓ１ａに平行な直径Ｄに対して対称な三日月状の断面形状を有するように形成される。
【００９４】
隆起部Ｂａは、指サックＣｆ２ａの円周方向に関して、右側周壁ＷｐＲ及び左側周壁ＷｐＬに端部が位置し、その肉厚（突状内壁面ＳＷｘａから隆起部Ｂａの表面までの距離）及び最隆起点高Ｈｐｓは凹側周壁Ｗｖｐの中央部で最大で、端部に向かって漸減する三日月状輪郭を成している。
【００９５】
最隆起点高Ｈｐｓの輪郭は隆起部Ｂａの円周方向の端部と中心軸Ｌ１ａとを結ぶ線が成す角度を「隆起部延在角θｓ」とすると、隆起部Ｂａはサック屈曲方向Ｄｓ１ａに平行な直径Ｄを中心として、θｓ／２ずつ円周方向左右に広がって延在している。なお、隆起部延在角θｓは、後述するように、１８０°以下が好ましい。
【００９６】
図４（ｃ）に、線分ＩＶｂ−ＩＶｂに沿って見た隆起部Ｂａの様子を示す。同図において、二点鎖線Ｂａｅは円錐状の筒の内壁に形成されている隆起部Ｂａを平面に展開した場合の輪郭を示している。平面に展開された状態の隆起部Ｂａ（以降、「隆起材Ｂａｅ」）は、好ましくは楕円状輪郭と楕円形の長軸が最隆起点Ｐｓと一致するような形状の肉厚部であって、突状内壁面ＳＷｘａに設けられている。隆起材Ｂａｅの長軸方向の長さを「隆起材長Ｌｐｅ」とし、隆起部Ｂａ（突状内壁面ＳＷｘａに設けられている隆起材Ｂａｅ）をサック屈曲方向Ｄｓ１ａに見た時の長軸方向の両端部の間隔を「隆起端部間隔ＬＰｓ」とすると、図示例に於いては、次式（１）及び（２）が示す関係を有する。
Ｌｐｅ＝Ｄ・π・（θｓ／３６０°）          ・・・  （１）
Ｌｐｓ＝ｓｉｎ｛π・（θｓ／３６０°）｝・Ｄ・・・  （２）
【００９７】
厳密には、式（１）及び（２）は、サック本体Ｓｃａが円筒であることが前提であるが、サック本体Ｓｃａは円錐筒であるが側面の傾きは小さいので、実用上問題ではない。式（１）に表すように、直径Ｄが一定（同サイズの指サックＣｆ２ａ）であれば、隆起材長Ｌｐｅは隆起部延在角θｓに応じて長くなる。言い換えれば、隆起材長Ｌｐｅが長いほど、円周方向に長く延在する。式（２）に表すように、直径Ｄが一定であれば、隆起端部間隔ＬＰｓは、隆起部延在角θｓに応じて大きくなり、隆起部延在角θｓが１８０°の時に最大値である直径Ｄになり、以降小さくなる。
【００９８】
本実施例においては、図４（ｂ）に例示されているように、隆起部Ｂａはサック屈曲方向Ｄｓ１ａに関して対称で隆起部延在角θｓは１８０°以下に設定されている。
【００９９】
そして、最隆起点Ｐｓは、図４（ａ）に例示の如く、屈曲点Ｐ１ａより湾曲先端部Ｒａ側に位置することが好ましい。指の外形に対応するように三日月状に湾曲する隆起部Ｂａの最隆起点Ｐｓが曲げた指の末節部と中節部との間の位置（第１関節）で末節部の腹の部分に当接することにより、ブラッシング時に指が後退する際に、指サックＣｆ２ａの前方への移動の妨げる。つまり指サックＣｆ２ａの指からの抜けを防止するストッパとして機能する。
【０１００】
また、指が前進する際には、最隆起点Ｐｓが中節部の腹の部分に当接することにより、指サックＣｆ２ａの後方への移動の妨げ、つまり指サックＣｆ２ａの緩みを防止するストッパとして機能する。この意味において、隆起部ＢａをストッパＢａとも呼ぶ。
【０１０１】
上述のように、本実施例においては、隆起部延在角θｓは１８０°以下に設定される。つまり、サック本体Ｓｃａの屈曲部Ｆ１ａにおける内壁面を、突状内壁面ＳＷｘａと凹状内壁面ＳＷｖａとに二分すると、ストッパＢａは突状内壁面ＳＷｘａに設けられる。
【０１０２】
隆起部延在角θｓが１８０°を超えて、ストッパＢａの端部が凹状内壁面ＳＷｖａに掛かると、最隆起点高Ｈｐｓを大きくすることができてストッパ機能は改善される。しかし、ブラッシング中に指をサック屈曲角度θ１ａより大きく曲げたり、小さく伸ばしたりする際に生じる変形に対する抵抗力が増大する。増大した抵抗力に抗してサック本体Ｓｃａをサック屈曲角度θ１ａ以上或いは以下に曲げると、サック本体Ｓｃａの劣化の増大や損傷を招く。
【０１０３】
さらに、ストッパＢａの右側周壁ＷｐＲ及び左側周壁ＷｐＬの内面にかかる部分は、指の末節部の腹に当接することの無い、ストッパ機能に無用且つ無駄な部材である。
【０１０４】
末節部或いは中節部の腹との当接のためには、ストッパＢａは右側周壁ＷｐＲ或いは左側周壁ＷｐＬに在る必要はなく、突状内壁面ＳＷｘａ（凹側周壁Ｗｖｐの内面）に在れば良い。この場合、最隆起点高Ｈｐｓを確保するために、ストッパＢａは三日月状断面ではなく、最隆起点Ｐｓが直線状輪郭を成す弓状断面（図４（ｃ）参照）を有するように形成すればよい。
【０１０５】
しかしながら、最隆起点Ｐｓが直線状輪郭を成す場合、最隆起点Ｐｓが中節部（指）の腹に直線で当接することになり、最隆起点Ｐｓが三日月状輪郭を成す場合に比べて装着感が劣る。さらに言えば、隆起部Ｂａが上述のストッパとしての機能を満たすのであれば、隆起材Ｂａｅは、必ずしも、その楕円形輪郭の長軸が最隆起点Ｐｓと一致する必要は無く、製造上の利便性や意匠状の要求を満たすべく、楕円形状輪郭以外の輪郭を有するように構成してもよい。
【０１０６】
（実施例２）
次に、本実施の形態２の実施例２に係る歯みがき用指サックＣｆ２ｂ（不図示）について説明する。歯みがき用指サックＣｆ２ｂは、上述の実施の形態１の実施例２に係る指サックＣｆ１ｂ（図２）に隆起部（ストッパ）Ｂｂ（不図示）が設けられている。上述の隆起部Ｂａが円形断面を有する円錐状のサック本体Ｓｃａの突状内壁面ＳＷｘａに設けられているのに対して、隆起部Ｂｂが楕円形断面を有する楕円錐状のサック本体Ｓｃｂの突状内壁面ＳＷｘｂ側に設けられている点を除いて、指サックＣｆ２ａと同様であるので、図示と共に説明を省略する。
【０１０７】
（実施例３）
次に、本実施の形態２の実施例３に係る歯みがき用指サックＣｆ２ｃ（不図示）について説明する。歯みがき用指サックＣｆ２ｃは、上述の実施の形態１の実施例３に係る指サックＣｆ１ｃ（図３）に隆起部（ストッパ）Ｂｃ（不図示）が設けられている。上述の隆起部Ｂｂが楕円錐状のサック本体Ｓｃｂの突状内壁面ＳＷｘｂに設けられているのに対して、隆起部Ｂｃが矩形状断面を有する四角錐状のサック本体Ｓｃｃの突状内壁面ＳＷｘｃ側に設けられている点を除いて、上述の指サックＣｆ２ｂと同様であるので、図示と共に説明を省略する。
【０１０８】
＜実施の形態３＞
図を参照して詳述する前に、本発明の実施の形態３に係る指サックＣｆ３（不図示）について説明する。本実施の形態３に係る指サックＣｆ３は、図１〜図３を参照して説明した、指サックＣｆ１の変形例である指サックＣｆ１’において、サック本体Ｓｃの右側周壁ＷｐＲ及び左側周壁ＷｐＬの少なくとも一方の内面に設けられている肉厚部Ｗが、右側周壁ＷｐＲ及び左側周壁ＷｐＬの少なくとも一方の外面に設けられている。これにより、肉厚部Ｗがサック本体Ｓｃの内部に設けられる場合に比べて、サック本体Ｓｃの内径サイズを損なうことがないので、肉厚部Ｗの厚みに対する制限を無くすことが出来る。
【０１０９】
（実施例１）
次に、図５を参照して、本発明の実施形態３の実施例１に係る歯みがき用指サックＣｆ３ａについて具体的に説明する。図５（ａ）は、右斜め下から見た指サックＣｆ３ａの外観を示す。図５（ｂ）は、左側周壁ＷｐＬを正面にみた指サックＣｆ３ａの側面を示す。同図から見て取れるように、歯みがき用指サックＣｆ３ａは、上述の実施の形態１の実施例１に係る指サックＣｆ１ａ’（図１）において、右側周壁ＷｐＲ或いは左側周壁ＷｐＬの内壁面に設けられている肉厚部Ｗａの代わりに、肉厚部Ｗ３ａが右側周壁ＷｐＲ或いは左側周壁ＷｐＬの外壁面に、下端部で縁Ｅｆａと連続して設けられている。
【０１１０】
なお、図５（ａ）及び図５（ｂ）には、作図上の都合により、左側周壁ＷｐＬに設けられた肉厚部Ｗ３ａが示されている。本明細書においては、図示に基づき左側周壁ＷｐＬに肉厚部Ｗ３ａが設けられている例について説明するが、肉厚部Ｗ３ａは左側周壁ＷｐＬ及び右側周壁ＷｐＲの何れか一方或いは両方に設けられて良いことは上述の通りである。
【０１１１】
（実施例２）
次に、図６を参照して、本実施の形態３の実施例２に係る指サックＣｆ３ｂについて説明する。図６（ａ）は、右斜め下から見た指サックＣｆ３ｂの外観を示す。図６（ｂ）は、左側周壁ＷｐＬを正面に見た指サックＣｆ３ｂの側面を示す。同図から見て取れるように、指サックＣｆ３ｂは、上述の指サックＣｆ３ａ（図５）に於ける肉厚部Ｗ３ａが肉厚部Ｗ３ｂに交換されている。肉厚部Ｗ３ｂは、指サックＣｆ３ａの肉厚部Ｗ３ａに肉厚部Ｗｂｐが更に設けられている。肉厚部Ｗｂｐが、サック本体Ｓｃａの下部凹側周壁Ｗｖ２ｐに、下端部が縁Ｅｆａに連続して設けられている。つまり、肉厚部Ｗ３ａと肉厚部Ｗｂｐとは縁Ｅｆａでつながっている。
【０１１２】
この肉厚部Ｗｂｐは、指サックＣｆ３ｂを人差し指若しくは中指に装着した際に、親指で押さえるための補強部分である。基本的に本発明に係る指サックＣｆ３ｂは、形状的に指の第一関節がひっかかり、装着した指から外れにくい構造になっているが、他人の歯を磨いている最中に、不意に噛み付かれた場合などには、指サックＣｆ３ｂ毎他人の口から引き出さなければならない。肉厚部Ｗｂｐは親指で押さえることで、より装着性が高まり、指に装着されたまま他人の口から引き出すことができる。
【０１１３】
（実施例３）
次に、図７を参照して、本実施の形態３の実施例３に係る指サックＣｆ３ｃについて説明する。図７（ａ）は、右斜め下から見た指サックＣｆ３ｃの外観を示す。図７（ｂ）は、左側周壁ＷｐＬを正面に見た指サックＣｆ３ｃの側面を示す。同図から見て取れるように、指サックＣｆ３ｃは、上述の指サックＣｆ３ｂ（図６）に於ける肉厚部Ｗ３ｂが肉厚部Ｗ３ｃに交換されている。肉厚部Ｗ３ｃは、肉厚部Ｗ３ｂにおいて、サック本体Ｓｃａの下部突側周壁Ｗｖ２ｄに、下端部が縁Ｅｆａに連続する肉厚部Ｗｂｖが設けられている。つまり、肉厚部Ｗ３ａ、肉厚部Ｗ３ｂ、及び肉厚部Ｗ３ｃは、縁Ｅｆａでつながっている。
【０１１４】
（実施例４）
次に、図８を参照して、本実施の形態３の実施例４に係る指サックＣｆ３ｄについて説明する。図８（ａ）は、右斜め下から見た指サックＣｆ３ｄの外観を示す。図８（ｂ）は、左側周壁ＷｐＬを正面に見た指サックＣｆ３ｄの側面を示す。同図から見て取れるように、指サックＣｆ３ｄは、上述の指サックＣｆ３ａ（図５）において、肉厚部Ｗ３ａが環状肉厚部Ｗ３ｄｔと肉厚側部Ｗ３ｄｓとを有する肉厚部Ｗ３ｄに交換されている。環状肉厚部Ｗ３ｄｔは、主にサック上部Ｓｃ１の湾曲先端部Ｒａ寄り位置に、或いは湾曲先端部Ｒａに重複する位置に周方向に連続して、上部凹側周壁Ｗｖ１ｐ及び上部突側周壁Ｗｖ１ｄとに環状に設けられている。肉厚側部Ｗ３ｄｓの下端部からは、肉厚側部Ｗ３ｄｓが肉厚部Ｗ３ａと同様に設けられている。上述のように、肉厚側部Ｗ３ｄｓは左側周壁ＷｐＬ及び右側周壁ＷｅＲの何れか一方、或いは両方に設けられる。
【０１１５】
肉厚部Ｗ３ａは、左側周壁ＷｐＬ又は、右側周壁ＷｅＲの少なくとも一方に設けられているが、凹側周壁Ｗｖｐ或いは突側周壁Ｗｖｄの何れにも設けられていない。これに対して、肉厚部Ｗ３ｄは、サック上部Ｓｃ１及び湾曲先端部Ｒａの部分が全周に渡って環状肉厚部Ｗ３ｄｔによって覆われている。サック上部Ｓｃ１ａに挿入された末節部が側部だけでなく、腹側及び背側を含めて、全周方向に渡って、環状肉厚部Ｗ３ｄｔによって、ブラッシング対象の歯先から保護されるので、指をより自由に曲げて安全にブラッシングできる。
【０１１６】
この環状肉厚部Ｗ３ｄｔも、他人の歯を磨いている最中に他人に噛みつかれた場合に、使用者の指を保護するのためのものである。特に指サックＣｆ３ｄを装着した指先は、他人の口の中の奥歯に近い部分まで挿入される。奥歯は最も咀嚼力が強い部分なので、環状肉厚部Ｗ３ｄｔは、使用者の指の保護に好適である。
【０１１７】
なお、末節部の側周部の保護に対する要求の度合いに応じて、環状肉厚部Ｗ３ｄｔは、サック上部Ｓｃ１ａの全域或いは、湾曲先端部Ｒａ寄りの或いはサック下部Ｓｃ２ａ寄りの一部に設けてもよい。なお、サック下部Ｓｃ２ａとの距離が小さくなるほど、装着時の指の曲げに対する抵抗力が大きくなる。
【０１１８】
（実施例５）
次に、図９を参照して、本実施の形態３の実施例５に係る指サックＣｆ３ｅについて説明する。図９（ａ）は、右斜め下から見た指サックＣｆ３ｅの外観を示す。図９（ｂ）は、左側周壁ＷｐＬを正面に見た指サックＣｆ３ｅの側面を示す。同図から見て取れるように、指サックＣｆ３ｅは、上述の指サックＣｆ３ｄ（図８）に於ける肉厚部Ｗ３ｄが肉厚部Ｗ３ｅに置き換えられている。肉厚部Ｗ３ｅは、肉厚部Ｗ３ｄに、指サックＣｆ３ｂ（図６）の肉厚部Ｗ３ｂが設けれている。言い換えれば、指サックＣｆ３ｂにおいて肉厚部Ｗ３ａが肉厚部Ｗ３ｄ（図８）に置き換えられている。
【０１１９】
（実施例６）
次に、図１０を参照して、本実施の形態３の実施例６に係る指サックＣｆ３ｆについて説明する。図１０（ａ）は、右斜め下から見た指サックＣｆ３ｆの外観を示す。図１０（ｂ）は、左側周壁ＷｐＬを正面に見た指サックＣｆ３ｆの側面を示す。同図から見て取れるように、指サックＣｆ３ｆは、上述の指サックＣｆ３ｅ（図９）において、肉厚部Ｗ３ｅが肉厚部Ｗ３ｆに置き換えられている。肉厚部Ｗ３ｆは、肉厚部Ｗ３ｅに指サックＣｆ３ｃ（図７）の肉厚部Ｗｂｐが設けれている。言い換えれば、指サックＣｆ３ｃにおいて肉厚部Ｗ３ａが肉厚部Ｗ３ｄ（図８）に置き換えられている。
【０１２０】
（実施例７）
次に、図１１を参照して、本実施の形態３の実施例７に係る指サックＣｆ３ｇについて説明する。図１１（ａ）は、右斜め下から見た指サックＣｆ３ｇの外観を示す。図１１（ｂ）は、左側周壁ＷｐＬを正面に見た指サックＣｆ３ｇの側面を示す。同図から見て取れるように、指サックＣｆ３ｇは、上述の指サックＣｆ３ｆ（図１０）において、肉厚部Ｗ３ｆが肉厚部Ｗ３ｇに置き換えられている。肉厚部Ｗ３ｇは、サック本体Ｓｃａの湾曲先端部Ｒａを覆うように、環状肉厚部Ｗ３ｄｔの上部に先端肉厚部Ｗ３ｒが設けられている。これにより、装着された末節部はその側周ばかりでなく先端部もより保護される。
【０１２１】
（実施例８）
次に、図１２を参照して、本実施の形態３の実施例８に係る指サックＣｆ３ｈについて説明する。図１２（ａ）は、右斜め下から見た指サックＣｆ３ｈの外観を示す。図１２（ｂ）は、左側周壁ＷｐＬを正面に見た指サックＣｆ３ｈの側面を示す。同図から見て取れるように、指サックＣｆ３ｈは、上述の指サックＣｆ３ｇ（図１１）において、肉厚部Ｗ３ｇが肉厚部Ｗｂｈに置き換えられている。肉厚部Ｗｂｈは、サック本体Ｓｃａの湾曲先端部Ｒａを覆うように、環状肉厚部Ｗ３ｄｔの上部に先端肉厚部Ｗ３ｒが設けられている。これにより、装着された末節部はその側周ばかりでなく先端部もより保護される。また、肉厚部Ｗｂｈは、さらに指サックＣｆ３ｃ（図７）の肉厚部Ｗｂｐも設けられている。
【０１２２】
なお、図５から図１２までに示した肉厚部は、サック本体より硬い材料で構成されていてもよい。つまり、本発明に係る指サックは、可撓性を有することが必要である。しかし、サック本体と肉厚部の硬さは異なっていてもよい。例えばシリコーンは、シロキサン結合による主骨格に置換基を自由に結合させることができる。この置換基の種類を変更することで、材料の硬さを変えることができる。したがって、硬さの異なる材料でサック本体と肉厚部をそれぞれ構成することができる。
【０１２３】
＜実施の形態４＞
（実施例１）
図１３を参照して、本実施の形態４の実施例１に係る指サックＣｆ４ａについて説明する。図１３（ａ）は、指サックＣｆ４ａの側面断面（左側周壁）であり、図１３（ｂ）は、突側周壁Ｗｖｄ側から見た図である。指サックＣｆ４ａは、実施の形態１で説明した指サックＣｆ１ａにブラシ部Ｂｒが設けられている。指サックＣｆ４ａにおいて、ブラシ部Ｂｒは、可撓性を有する針状突起Ｂｒｎによって構成されている。針状突起Ｂｒｎは、指サックＣｆ４ａの上部凹側周壁Ｗｖ１ｐから湾曲先端部Ｒの頂部Ｒｔにかけて設けられている。
【０１２４】
針状突起Ｂｒｎは、指サックＣｆ４ａと同一素材によって、指サックＣｆ４ａは一体的に設けられている。つまり、指サックＣｆ４ａと個々の針状突起Ｂｒｎとの間に素材が不連続になる部分はない。これは、指サックＣｆ４ａを射出成形で形成する際に、針状突起Ｂｒｎも同時に形成することで製造することができる。
【０１２５】
しかし、針状突起Ｂｒｎは、指サックＣｆ４ａにあとから植設されることを排除しない。したがって、指サックＣｆ４ａを形成した後、同一素材若しくは別素材で形成された針状突起Ｂｒｎを指サックＣｆ４ａの所定の箇所に植設してもよい。
【０１２６】
針状突起Ｂｒｎが設けられると、指サックＣｆ４ａで歯および歯茎をブラッシングする際に、より異物を除去しやすくなる。また、上部凹側周壁Ｗｖ１ｐに針状突起Ｂｒｎを設け、人差し指や中指に指サックＣｆ４ａを挿入すれば、口内の歯や歯茎を最も感覚の優れた、指先で感じながら、掃除することができる。
【０１２７】
また、湾曲先端部Ｒの頂部Ｒｔにまで、針状突起Ｂｒｎを設けると、指先の腹だけでなく、指先が示す先まで針状突起Ｂｒｎが届くこととなり、口内の細かい部分まで掃除が可能となる。
【０１２８】
（実施例２）
図１４には、本実施の形態４の実施例２に係る指サックＣｆ４ｂを示す。図１４（ａ）は、指サックＣｆ４ｂの側面断面（左側周壁）であり、図１４（ｂ）は、凹側周壁側から見た図である。。指サックＣｆ４ｂは、指サックＣｆ４ａと針状突起Ｂｒｎの形成箇所が異なる。指サックＣｆ４ｂは、上部凹側周壁Ｗｖ１ｐから湾曲先端部Ｒの頂部Ｒｔまで針状突起Ｂｒｎを設ける。指サックＣｆ４ｂは、このまま、上部凹側周壁Ｗｖ１ｐに指先の腹が当たるように挿入し、使用してもよい。しかし、指サックＣｆ４ｂは、上部突側周壁Ｗｖ１ｄ側に指先の腹が当たるように挿入し、使用することができる。
【０１２９】
このように、指サックＣｆ４ｂのサック屈曲方向Ｄｓ１ａと逆向きに指が曲がるように挿入することで、指サックＣｆ４ｂと指との間の抵抗が大きくなる。針状突起Ｂｒｎで歯や歯茎を擦ると、摩擦力が大きくなるが、指サックＣｆ４ｂのサック屈曲方向Ｄｓ１ａと逆向きに指が曲がるように挿入することで、この大きな抵抗でも指サックＣｆ４ｂが指から抜けることはない。
【０１３０】
（実施例３）
図１５には、本実施の形態４の実施例３に係る指サックＣｆ４ｃを示す。図１５（ａ）は、指サックＣｆ４ｃの凹側周壁Ｗｖｐ側から見た図であり、図１５（ｂ）は、側面断面（左側周壁）であり、図１５（ｃ）は、突側周壁Ｗｖｄ側から見た図である。指サックＣｆ４ｃは、針状突起Ｂｒｎが上部突側周壁Ｗｖ１ｄから湾曲先端部Ｒの頂部Ｒｔを回り、上部凹側周壁Ｗｖ１ｐまで形成されている。したがって、指サックＣｆ４ｃは、指サックＣｆ４ａと指サックＣｆ４ｂの効果を同時に持ち合わせる。
【０１３１】
（実施例４）
図１６には、本実施の形態４の実施例４に係る指サックＣｆ４ｄを示す。図１６（ａ）は、指サックＣｆ４ｄの凹側周壁Ｗｖｐ側から見た図であり、図１６（ｂ）は、側面断面（左側周壁ＷｐＬ）であり、図１６（ｃ）は、突側周壁Ｗｖｄ側から見た図である。指サックＣｆ４ｄは、針状突起Ｂｒｎが上部突側周壁Ｗｖ１ｄ、湾曲先端部Ｒの頂部Ｒｔ、上部凹側周壁Ｗｖ１ｐだけでなく、上部右側周壁Ｗｅ１Ｒと上部左側周壁Ｗｅ１Ｌにも設けられている。このように左右の上部側周壁にも針状突起Ｂｒｎを設けることで、口内に入れる指の角度がどのような角度になっても、ブラシ部Ｂｒを掃除対象箇所に摺動させることができる。図１の四角形の各辺に垂直方向に設けられている。
【０１３２】
（実施例５）
図１７には、本実施の形態４の実施例５に係る指サックＣｆ４ｅを示す。図１７（ａ）は、指サックＣｆ４ｅの側面断面（左側周壁）であり、図１７（ｂ）は、図１７（ａ）のＡ−Ａ面断面図である。指サックＣｆ４ｅは、針状突起Ｂｒｎがサック上部Ｓｃ１ａに中心軸Ｌ１ａから放射状に均等に設けられている。
【０１３３】
（実施例６）
図１８には、本実施の形態４の実施例６に係る指サックＣｆ４ｆを示す。図１８（ａ）は、指サックＣｆ４ｆの側面断面（左側周壁ＷｐＬ）であり、図１８（ｂ）は、凹側周壁Ｗｖｐ側から見た図である。指サックＣｆ４ｆは、ブラシ部Ｂｒが針状突起Ｂｒｎと、ブロック突起Ｂｒｂによって構成されている。ブロック突起Ｂｒｂは、針状突起Ｂｒｎよりも太い突起である。ブロック突起Ｂｒｂの先端は、平らに形成されている。ただし、平らでない形状に形成することを排除しない。
【０１３４】
ブロック突起Ｂｒｂは、針状突起Ｂｒｎと比較すると太いので、腰が強く擦り落とし効果が高い。したがって、歯に固着した分泌物などであっても、擦り落とすことができる。
【０１３５】
（実施例７）
図１９には、本実施の形態４の実施例７に係る指サックＣｆ４ｇを示す。図１９（ａ）は、指サックＣｆ４ｇの側面断面（左側周壁ＷｐＬ）であり、図１９（ｂ）は、突側周壁Ｗｖｄ側から見た図である。指サックＣｆ４ｇは、ブロック突起Ｂｒｂが上部突側周壁Ｗｖ１ｄに設けられている。図１８および図１９に示したように、ブロック突起Ｂｒｂは、いずれの側にも設けることができる。
【０１３６】
図２０には、針状突起Ｂｒｎの形状のバリエーションを例示する。図２０（ａ）では、針状突起Ｂｒｎは先端が尖った針形状をしている。図２０（ｂ）では、先端は半円形状に形成されている。図２０（ｃ）では、先端は平坦な形状をしており、断面が四角形状になっている。図２０（ｄ）では、針状突起Ｂｒｎは断面が扁平なトラック形状をしており、先端が平らなヘラ状態に形成されている。
【０１３７】
図２０（ｅ）では、針状突起Ｂｒｎは断面が扁平なトラック形状であって、先端が曲面になっている。図２０（ｆ）では、針状突起Ｂｒｎは、先端は平坦で断面が長方形になっている。図２０（ｇ）では、針状突起Ｂｒｎは、断面が２つの円形の間を長方形で結合した形状で、先端は丸く形成されている。
【０１３８】
図２０（ｈ）では、針状突起Ｂｒｎは、断面が三日月形をしており、先端は丸く形成されている。また、図２０（ｉ）では、針状突起Ｂｒｎは、断面が六角形で先端は平らに形成されている。なお、図２０（ｉ）では断面は六角形であるが、他の多角形の形状であってもよい。
【０１３９】
また、図１３から図１９までに示したブラシ部Ｂｒを有する指サックＣｆ４は、図１の指サックＣｆ１ａにブラシ部Ｂｒを設けた形状で説明を行ったが、図２乃至図１２で示した各形状の指サックＣｆ２乃至Ｃｆ３にブラシ部Ｂｒを設けてもよい。
【０１４０】
＜実施の形態５＞
本実施の形態５に係る歯磨き用指サックは、指サックを構成する可撓性材料に、抗菌剤や消臭剤を添加する。歯磨き用指サックは動物若しくはヒトの口腔内に直接入れて使用される。したがって、口腔内の唾液や粘膜に直接触れることになる。口腔内には、雑菌が多く生存しているので、これらの雑菌が歯磨き用指サックにも付着する。すると、使用しているうちに、歯磨き用指サックの表面で、雑菌が繁殖する場合もある。特に、シリコーンは表面に細かい穴があるので、その穴の中で雑菌が繁殖し、悪臭を発する場合もある。
【０１４１】
そこで、歯磨き用指サックのサック本体に抗菌剤や消臭剤を練りこんでおくことで、雑菌の繁殖を抑制し、悪臭の発生を防止することができる。
【０１４２】
本実施の形態５に係る歯磨き用指サックの形状は、ここまで説明し例示した歯磨き用指サックの何れの形状をとってもよい。また、サック本体および肉厚部、環状肉厚部、ブラシ部の何れに練りこんでもよい。サック本体、肉厚部、環状肉厚部、ブラシ部の全てに練りこめば最も望ましい。
【０１４３】
また、抗菌剤や消臭剤は、歯磨き用指サックの表面に担持させるだけであってもよい。なお、抗菌剤や消臭剤を担持させる場合は、塗布やスプレーコートといった手段を好適に利用することができる。したがって、歯磨き用指サックが抗菌剤や消臭剤を有するということは、歯磨き用指サックの材料に抗菌剤や消臭剤を練りこんだり、担持させたり、またその他の方法で保持させる場合を含む。
【０１４４】
抗菌剤は、無機材料系や有機材料系など多くの種類が知られている。歯磨き用指サックに用いることのできる抗菌剤は、生体への影響が小さいものが望ましい。したがって、銀や銅といった金属を主原料とする抗菌剤は好適に利用することができる。これらの金属微粉末を多孔質のセラミック材料に担持させたものは好適に用いられ、また効果も顕著である。
【０１４５】
また、光触媒である酸化チタンも好適に利用することができる。酸化チタンは酸化還元の強力な触媒となるので、雑菌やカビといった微生物の成長を阻害することが出来る。
【０１４６】
有機材料系の抗菌剤としては、天然物由来のものがよい。生体への影響が小さいと考えられるからである。例えば、キチン・キトサン、プロポリス、ポリリジン、茶カテキンなどが挙げられる。また、テルペノイドやフラボノイドといった植物由来の抗菌剤を用いても良い。
【０１４７】
消臭剤としては、臭いのもとを化学吸着するものや物理吸着するものが利用できる。物理吸着で消臭効果があるのは、微細な多孔質材料が望ましい。例えば酸化アルミニウムや酸化ジルコニウムに多孔性を与え、微粉末状にしたものが好適に用いられる。また炭粉末を用いても良い。
【０１４８】
化学吸着で消臭効果を発揮するものも多く知られているが、ここでも生体への影響がすくないものが望ましい。例えば、カルボキシル基（−ＣＯＯＨ）、アルデヒド基（−ＣＯＨ）、水酸基（−ＯＨ）といった官能基を有する植物由来の物質は、主に口腔内で発生する悪臭の元となる、硫化水素やメチルメルカプタンに結合し消臭効果を示す。これらの物質は、単体でなくてもよく、複数の物質の混合であってもよい。
【０１４９】
抗菌剤と消臭剤は共に用いても良い。また、カテキンといったフラボノイド系の材料は抗菌効果と消臭効果を共に持ち合わせているので、抗菌および消臭効果を同時に得ることができる。このように、抗菌および消臭効果を同時に満足する材料を用いても良い。
【０１５０】
歯磨き用指サックをシリコーンゴムで製造する場合は、材料となるシリコーン材に抗菌剤や消臭剤を混ぜて混錬し、成形前素材とする。抗菌剤や消臭剤を添加物として混入する割合は、シリコーン材に対して０．０１〜３０重量部程度、好ましくは、０．１〜５重量部がよい。シリコーン材は、シロキサン結合の主鎖に結合する置換基によって、硬さが変化する。それでも、３０重量部以上のシリコーン材以外のものが混入すると、完成品の強度が低下するからである。
【産業上の利用可能性】
【０１５１】
本発明に係る歯磨き用指サックは、ペットの歯や歯茎をブラッシングするだけでなく、介助が必要な人間に対しても用いることができる。
【符号の説明】
【０１５２】
Ｃｆ１  指サック
Ｓｃ  サック本体
Ｏ  開口部
Ｒ  湾曲先端部
Ｆ１  屈曲部
Ｐ１  屈曲点
Ｓｃ１  サック上部
Ｓｃ２  サック下部
Ｌ１  中心軸
Ｌ２  中心軸
θ１  サック屈曲角度
Ｄｓ１  サック屈曲方向
Ｂ  隆起部
Ｗ  肉厚部
【図１】
0006667284.tif 000002
【図２】
0006667284.tif 000003
【図３】
0006667284.tif 000004
【図４】
0006667284.tif 000005
【図５】
0006667284.tif 000006
【図６】
0006667284.tif 000007
【図７】
0006667284.tif 000008
【図８】
0006667284.tif 000009
【図９】
0006667284.tif 000010
【図１０】
0006667284.tif 000011
【図１１】
0006667284.tif 000012
【図１２】
0006667284.tif 000013
【図１３】
0006667284.tif 000014
【図１４】
0006667284.tif 000015
【図１５】
0006667284.tif 000016
【図１６】
0006667284.tif 000017
【図１７】
0006667284.tif 000018
【図１８】
0006667284.tif 000019
【図１９】
0006667284.tif 000020
【図２０】
0006667284.tif 000021
【図２１】
0006667284.tif 000022
【図２２】
0006667284.tif 000023
【図２３】
0006667284.tif 000024